【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
外側から内側の順序で位置付けられた以下の層構造：
ポリエステル、ポリアミド、ポリスチレン、ポリカーボネート、ポリ（メチルメタクリレート）、環状オレフィンコポリマー、ポリプロピレン、高密度ポリエチレン、またはそれらの組み合わせを含む、外部表面層；
第１接着層を含む任意の層；
エチレンビニルアルコールコポリマー、環状オレフィンコポリマー、ポリ酢酸ビニル、またはこれらと、ポリエチレン、ポリビニルアルコール、またはポリアミドとのブレンドを含むガスバリア層であって、フィルム総厚の少なくとも６０％が、前記フィルムから製造される包装に関して、前記ガスバリア層の内側まであるように位置付けられる、ガスバリア層；
第２接着層を含む任意の層；
ポリエチレンホモポリマーまたはコポリマー、ポリプロピレンホモポリマーまたはコポリマー、またはエチレンと少なくとも１種類の追加の極性コモノマーから誘導される共重合単位を含むエチレンコポリマーを含む、任意選択的に収縮性の形成性層；
第３接着層を含む任意の層；および
ポリエチレンホモポリマーまたはコポリマー、またはエチレンアルキル（メタ）アクリル酸コポリマーまたはそのイオノマーを含む、内部表面層；
を含む、任意に収縮性の多層食品ケーシングまたは食品包装フィルム。
【請求項２】
請求項１に記載の層構造を含む多層溶融フローを共押出しする工程；第１バブルにおいて多層フィルム構造体を冷却して、チューブラー多層構造体を製造する工程；第２バブルにおいて加熱しながら前記チューブラー多層構造体を延伸して、延伸チューブラー多層構造体を製造する工程；第３バブルにおいて加熱しながら前記延伸チューブラー多層構造体を弛緩する工程；を含む、請求項１に記載の食品ケーシングまたは食品フィルムを製造する方法。
【請求項３】
請求項１に記載の層構造を含む多層溶融フローをフラットダイにおいて共押出しする工程；キャスティングロール上の前記多層フィルム構造物を冷却して、多層フラット構造体を製造する工程；テンターフレームのオーブン内で加熱しながら前記多層構造体を延伸して、延伸多層構造体を製造する工程；テンターフレームのオーブン内で加熱しながら、前記延伸フラット多層構造体を弛緩する工程；を含む、請求項１に記載の食品ケーシングまたは食品フィルムを製造する方法。
【手続補正２】
【補正対象書類名】明細書
【補正対象項目名】０１５２
【補正方法】変更
【補正の内容】
【０１５２】
この差は、包装の両面で低相対湿度レベルでは無視できるほどであり、外部の水分に対するバリア層の曝露が高いために、包装外部での高い湿度レベルでは実際には好ましくない。したがって、実施例は、水分の影響を受けやすいガスバリア層を包装内の湿度から保護することによって、包装全体のバリア性能が向上することをはっきりと示している。水分の影響を受けやすいガスバリア層の、外側の水分からの保護は、ＰＥＴの代わりに外部表面フィルムとしてポリプロピレンまたはポリエチレンを使用することによって向上させることができた。各実施例は、それ自体にシールした場合には、より高いピーク最大値、より広いシール窓と共に、より高いシール強度も有する。各実施例フィルムは、比較フィルムＣ１と比べて層間剥離を示さなかった（それ自体にシールした場合）。実施例１は、Ｃ１よりも曇り度が低かった。
以下、本明細書に記載の主な発明について列記する。
（１）  外側から内側の順序で位置付けられた以下の層構造：
ポリエステル、ポリアミド、ポリスチレン、ポリカーボネート、ポリ（メチルメタクリレート）、環状オレフィンコポリマー、ポリプロピレン、高密度ポリエチレン、またはそれらの組み合わせを含む、外部表面層；
第１接着層を含む任意の層；
エチレンビニルアルコールコポリマー、環状オレフィンコポリマー、ポリ酢酸ビニル、またはこれらと、ポリエチレン、ポリビニルアルコール、またはポリアミドとのブレンドを含むガスバリア層であって、フィルム総厚の少なくとも６０％が、前記フィルムから製造される包装に関して、前記ガスバリア層の内側まであるように位置付けられる、ガスバリア層；
第２接着層を含む任意の層；
ポリエチレンホモポリマーまたはコポリマー、ポリプロピレンホモポリマーまたはコポリマー、またはエチレンと少なくとも１種類の追加の極性コモノマーから誘導される共重合単位を含むエチレンコポリマーを含む、任意選択的に収縮性の形成性層；
第３接着層を含む任意の層；および
ポリエチレンホモポリマーまたはコポリマー、またはエチレンアルキル（メタ）アクリル酸コポリマーまたはそのイオノマーを含む、内部表面層；
を含む、任意に収縮性の多層食品ケーシングまたは食品包装フィルム。
（２）  前記外部表面層が、ポリエチレンテレフタレートポリエステル、ポリアミド、ポリエチレンまたはポリプロピレン、好ましくはポリエチレンテレフタレートポリエステルを含む、（１）に記載の食品ケーシングまたは食品フィルム。
（３）  前記ガスバリア層が、エチレンビニルアルコールポリマーを含むか、またはポリアミドの２層間に挟まれたエチレンビニルアルコールポリマーを含む、（１）または（２）に記載の食品ケーシングまたは食品フィルム。
（４）  前記ポリアミドが、ナイロン６、ナイロン９、ナイロン１０、ナイロン１１、ナイロン１２、ナイロン６，６、ナイロン６，１０、ナイロン６，１２、ナイロン６Ｉ、ナイロン６Ｔ、ナイロン６．９、ナイロン１２，１２、ＭＸＤ６、ナイロン６Ｉ，６Ｔ、それらのコポリマー、または非晶質ポリアミドと半結晶質ポリアミドとのブレンドを含み；好ましくは、前記ポリアミドが、ナイロン６、ナイロン６，６またはナイロン６／６６を含む、（１）から（３）のいずれか一項に記載の食品ケーシングまたは食品フィルム。
（５）  前記形成性層がポリエチレンホモポリマーまたはコポリマーを含む、（１）から（４）のいずれか一項に記載の食品ケーシングまたは食品フィルム。
（６）  前記形成性層が、エチレンと少なくとも１種類の追加の極性コモノマーとから誘導される共重合単位を含むエチレンコポリマーを含み；好ましくは、前記エチレンコポリマーが、エチレン酢酸ビニルコポリマー、エチレンアルキル（メタ）アクリレートコポリマー、エチレンアルキル（メタ）アクリル酸コポリマーまたはそれらのイオノマー、またはそれらの２種類以上の組み合わせを含み；さらに好ましくは、前記エチレンコポリマーがイオノマーを含む、（１）から（５）のいずれか一項に記載の食品ケーシングまたは食品フィルム。
（７）  前記内部表面層がポリエチレンホモポリマーまたはコポリマーを含み、かつ前記第３接着層が存在する、（１）から（６）のいずれか一項に記載の食品ケーシングまたは食品フィルム。
（８）  前記内部表面層がエチレンアルキル（メタ）アクリル酸コポリマーまたはそのイオノマー、好ましくはイオノマーを含み、かつ前記第３接着層が存在しない、（１）から（７）のいずれか一項に記載の食品ケーシングまたは食品フィルム。
（９）  接着層がそれぞれ独立して、グラフト化ポリエチレン、グラフト化ＥＶＡコポリマー、グラフト化エチレンアルキルアクリレートコポリマーまたはグラフト化エチレンアルキルメタクリレートコポリマーを含む官能化ポリマーであって、それぞれが、不飽和ジカルボン酸無水物０．１〜１０重量％でグラフト化されているもの；またはエチレンと、少なくとも２つのカルボン酸基を有するＣ4〜Ｃ8不飽和酸、かかる酸の環状無水物、モノエステルおよびジエステルからなる群から選択されるコモノマーとの共重合単位を含むコポリマー；を含み、任意選択的に、接着層のそれぞれが独立して、前記官能化ポリマーと化学的に異なる、少なくとも１種類のエチレンポリマーまたはコポリマー、任意選択的に粘着付与剤をさらに含む、（１）から（８）のいずれか一項に記載の食品ケーシングまたは食品フィルム。
（１０）  外側から内側の順序で位置付けられた以下の層構造：
ポリエステルを含む外部表面層；
第１接着層を含む層；
ポリアミドの２層間に挟まれたエチレンビニルアルコールコポリマーを含むガスバリア層；
第２接着層を含む層；
イオノマーを含む任意選択的に収縮性の形成性層；
第３接着層を含む任意選択の層；
ポリエチレンホモポリマーまたはコポリマー、またはエチレンアルキル（メタ）アクリル酸コポリマーまたはそのイオノマーを含む内部表面層；
を含む、（１）から（９）のいずれか一項に記載の食品ケーシングまたは食品フィルム。
（１１）  インフレーションフィルム共押出し成形プロセスによって製造され、かつトリプルバブルプロセスによって、またはキャストフィルム共押出し成形プロセスによって二軸延伸され、テンターフレーム延伸によって二軸延伸された、シートまたはチューブの形状を有する、（１）から（１０）のいずれか一項に記載の食品ケーシングまたは食品フィルム。
（１２）  前記食品ケーシングまたは食品フィルムが、シュリンク袋、シール可能なフィルム、またはラッピングフィルムの形状を有する食品包装として作られる、（１）から（１１）のいずれか一項に記載の食品ケーシングまたは食品フィルム。
（１３）  温度約９０℃に１分間さらした場合に、前記フィルムが熱収縮率３０〜６０％を示す、（１）から（１２）のいずれか一項に記載の食品ケーシングまたは食品フィルム。
（１４）  温度約１２０℃に１分間さらした場合に、前記フィルムが熱収縮率３０％未満を示す、（１）から（１３）のいずれか一項に記載の食品ケーシングまたは食品フィルム。
（１５）  （１）から（１４）のいずれか一項に記載の層構造を含む多層溶融フローを共押出しする工程；第１バブルにおいて多層フィルム構造体を冷却して、チューブラー多層構造体を製造する工程；第２バブルにおいて加熱しながら前記チューブラー多層構造体を延伸して、延伸チューブラー多層構造体を製造する工程；第３バブルにおいて加熱しながら前記延伸チューブラー多層構造体を弛緩する工程；を含む、（１）から（１４）のいずれか一項に記載の食品ケーシングまたは食品フィルムを製造する方法。
（１６）
（１）から（１５）のいずれか一項に記載の層構造を含む多層溶融フローをフラットダイにおいて共押出しする工程；キャスティングロール上の前記多層フィルム構造物を冷却して、多層フラット構造体を製造する工程；テンターフレームのオーブン内で加熱しながら前記多層構造体を延伸して、延伸多層構造体を製造する工程；テンターフレームのオーブン内で加熱しながら、前記延伸フラット多層構造体を弛緩する工程；を含む、（１）から（１５）のいずれか一項に記載の食品ケーシングまたは食品フィルムを製造する方法。